(57)【要約】【課題】  タッチ操作の操作感をより向上させる表示制御を実現できるようにする。【解決手段】  セルフィーパッド４ｂは、複数枚（例えば、１６枚）の小片状のタッチパネルＴを縦一列に配列（一次元配列）した構成の帯状のタッチ操作部である。制御部１は、セルフィーパッド４ｂ上における１次元のスライド操作を検出すると、その１次元のスライド操作を、回転角に変換すると共に、この回転角に応じて、タッチ表示部６に表示されているオブジェクトを回転させる制御を行う。【選択図】  図１
2017010167.tif 000002
【特許請求の範囲】
【請求項１】
タッチ操作手段と、表示手段を備える電子機器であって、
前記タッチ操作手段上における１次元のスライド操作を検出するタッチ検出手段と、
前記タッチ検出手段により検出される１次元のスライド操作を、回転角に変換する変換手段と、
前記変換手段により変換される回転角に応じて、前記表示手段に表示しているオブジェクトを回転させる制御を行う表示制御手段と、
を備えることを特徴とする電子機器。
【請求項２】
前記タッチ検出手段は、１次元のスライド操作が行われた場合にそのスライド操作方向を検出し、
前記変換手段は、前記タッチ検出手段によって検出される１次元のスライド操作をそのスライド操作方向の回転角に変換する、
ことを特徴とする請求項１に記載の電子機器。
【請求項３】
前記変換手段は、前記タッチ検出手段によって検出される１次元の１回のスライド操作を所定の回転角に変換し、
前記表示制御手段は、前記表示手段に表示している円状のオブジェクトを前記所定の回転角で回転させる制御を行う、
ことを特徴とする請求項１又は２に記載の電子機器。
【請求項４】
前記所定の回転角は、前記表示手段に表示している円状のオブジェクトの種類に応じて異なる回転角である、
ことを特徴とする請求項３に記載の電子機器。
【請求項５】
前記タッチ検出手段は、１次元のスライド操作が行われた場合にそのスライド操作量を検出し、
前記変換手段は、前記タッチ検出手段によって検出される１次元のスライド操作をそのスライド操作量と所定の回転角から算出した回転角に変換し、
前記表示制御手段は、前記表示手段に表示している円状のオブジェクトを前記算出した回転角で回転させる制御を行う、
ことを特徴とする請求項１又は２に記載の電子機器。
【請求項６】
前記円状のオブジェクトの周縁部には、円弧上に異なる複数の指標が表示され、
前記表示制御手段は、前記変換手段により変換される回転角に応じて、前記表示手段に表示している前記円状のオブジェクト全体を回転させる制御を行うことにより円弧上に表示している異なる複数の指標の位置をその円弧上で変化させる制御を行う、
ことを特徴とする請求項３乃至５のいずれか１項に記載の電子機器。
【請求項７】
前記円状のオブジェクトは、円弧上に配置された複数のオブジェクトを含む全体のオブジェクトであり、
前記表示制御手段は、前記変換手段により変換される回転角に応じて、前記表示手段に表示している前記円状のオブジェクト全体を回転させる制御を行うことにより円弧上の各オブジェクトの個々の位置をその円弧上で変化させる制御を行う、
ことを特徴とする請求項３乃至５のいずれか１項に記載の電子機器。
【請求項８】
前記円状のオブジェクトは、前記表示手段の画面の隅部にその一部が表示されるように配置されたオブジェクトである、
ことを特徴とする請求項３乃至７のいずれか１項に記載の電子機器。
【請求項９】
前記タッチ検出手段は、前記タッチ操作手段上の複数のタッチ領域のうち、１次元のスライド操作が行われたタッチ領域を、更に検出し、
前記表示制御手段は、前記タッチ操作手段上の複数のタッチ領域に対応して前記表示手段に表示している異なる複数のオブジェクトのうち、前記タッチ検出手段により検出されるタッチ領域に対応するオブジェクトを、前記変換手段により変換される回転角で回転させる制御を行う、
ことを特徴とする請求項１乃至８のいずれか１項に記載の電子機器。
【請求項１０】
前記タッチ検出手段により検出される１次元のスライド操作に応じて所定の機能を制御する機能制御手段を、更に備える。
ことを特徴とする請求項１乃至９のいずれか１項に記載の電子機器。
【請求項１１】
前記所定の機能は、種類の異なる複数の機能の中から任意に指定された機能であり、
前記変換手段は、前記指定された機能の種類に応じて異なる回転角に変換し、
前記表示制御手段は、前記指定された機能の種類に応じて異なる円状のオブジェクトを回転させる制御を行い、
前記機能制御手段は、前記指定された機能を制御する、
ことを特徴とする請求項１０に記載の電子機器。
【請求項１２】
前記表示制御手段は、前記タッチ操作手段と前記表示手段との位置関係に応じて、前記オブジェクトを前記表示手段の異なる位置に表示する制御を行う
ことを特徴とする請求項１乃至１１のいずれか１項に記載の電子機器。
【請求項１３】
当該電子機器の傾きを検出する傾き検出手段を、更に備え、
前記表示制御手段は、前記変換手段により変換される回転角と前記傾き検出手段により検出される傾きとに応じて、前記表示手段に表示している円状のオブジェクトを回転させる制御を行う、
ことを特徴とする請求項３乃至１１のいずれか１項に記載の電子機器。
【請求項１４】
前記タッチ検出手段により検出される１次元のスライド操作、及び前記傾き検出手段により検出される傾きに応じて、所定の機能の制御する機能制御手段を、更に備える、
ことを特徴とする請求項１３に記載の電子機器。
【請求項１５】
タッチ操作手段と、表示手段を備える電子機器における表示制御方法であって、
前記タッチ操作手段上における１次元のスライド操作を検出する処理と、
前記タッチ検出手段により検出される１次元のスライド操作を、回転角に変換する処理と、
前記変換される回転角に応じて、前記表示手段に表示しているオブジェクトを回転させる制御を行う処理と、
を含むことを特徴とする表示制御方法。
【請求項１６】
タッチ操作手段と、表示手段を備える電子機器のコンピュータに対して、
前記タッチ操作手段上における１次元のスライド操作を検出する機能と、
前記タッチ検出手段により検出される１次元のスライド操作を、回転角に変換する機能と、
前記変換される回転角に応じて、前記表示手段に表示しているオブジェクトを回転させる制御を行う機能と、
を実現させるためのプログラム。
【発明の詳細な説明】
【技術分野】
【０００１】
本発明は、タッチ操作手段と表示手段を備える電子機器、表示制御方法及びプログラムに関する。
【背景技術】
【０００２】
従来、スライド操作などのタッチ操作を可能とするタッチ操作部を備える電子機器としては、例えば、特許文献１に開示されているように、筐体の側面にスライドセンサ（タッチ操作部）を配設した技術が知られている。この技術は、表示画面（タッチ画面）を見るユーザが情報端末の筐体を右手で握りながら親指などでタッチ操作を行う場合に、表示画面の片隅などのように指が届きにくい箇所を操作する代わりに、親指を筐体の側面に沿って上下方向に滑らせるだけでスライドセンサへの操作が可能となるため、操作性に優れたユーザインタフェイスを提供することができるようになる。
【先行技術文献】
【特許文献】
【０００３】
【特許文献１】特開２０１３−２３８９５５号公報
【発明の概要】
【発明が解決しようとする課題】
【０００４】
しかしながら、上述した特許文献１の技術にあっては、操作性に優れたユーザインタフェイスを提供することができる反面、ハードジョグダイヤルと呼ばれる回転型セレクタのようなハードウェアの操作子を操作することに比べると、操作感に乏しいという問題があった。
【０００５】
本発明の課題は、タッチ操作の操作感をより向上させる表示制御を実現できるようにすることである。
【課題を解決するための手段】
【０００６】
上述した課題を解決するために本発明は、
タッチ操作手段と、表示手段を備える電子機器であって、
前記タッチ操作手段上における１次元のスライド操作を検出するタッチ検出手段と、
前記タッチ検出手段により検出される１次元のスライド操作を、回転角に変換する変換手段と、
前記変換手段により変換される回転角に応じて、前記表示手段に表示しているオブジェクトを回転させる制御を行う表示制御手段と、
を備えることを特徴とする。
【発明の効果】
【０００７】
本発明によれば、タッチ操作の操作感をより向上させる表示制御を実現することができる。
【図面の簡単な説明】
【０００８】
【図１】電子機器として適用した撮像装置（デジタルカメラ）の基本的な構成要素を示したブロック図。
【図２】（１）は、タッチ表示部６とセルフィーパッド（タッチ操作部）４ｂとの位置関係を示すために表示ブロック１１ａに対してフレームブロック１１ｂを閉じた状態を正面から示した撮像装置の外観図、（２）は、同状態を一側面から示した撮像装置の外観図。
【図３】タッチ表示部６とセルフィーパッド４ｂとの位置関係を示すために、表示ブロック１１ａに対してフレームブロック１１ｂを開いた状態を正面から示した撮像装置の外観図。
【図４】（１）、（２）は、モニタ画面又は再生画面の一部分に表示される円状オブジェクト１２を例示した図。
【図５】（１）、（２）は、モニタ画面又は再生画面の一部分に表示される他の円状オブジェクト１２を例示した図。
【図６】セルフィーパッド機能テーブル３Ｃを説明するための図。
【図７】撮像装置の全体動作（本実施形態の特徴的な動作）を示したフローチャート。
【図８】セルフィーパッド４ｂ上のスライド操作に応じた処理（図７のステップＡ８）を詳述するためのフローチャート。
【図９】（１）〜（３）は、各種の機能に対応して設けられた円状オブジェクト１２を説明するための図。
【図１０】第２実施形態におけるセルフィーパッド機能テーブル３Ｃを説明するための図。
【図１１】（１）〜（３）は、第２実施形態において各種の機能に対応して設けられた円状オブジェクト１２を説明するための図。
【図１２】第２実施形態において、セルフィーパッド４ｂ上のスライド操作に応じた処理（図７のステップＡ８）を詳述するためのフローチャート。
【図１３】（１）〜（５）は、各実施形態の変形例として、セルフィーパッド４ｂ上のスライド操作と筐体の傾きに応じて円状オブジェクト１２の回転を制御する様子を説明するための図。
【発明を実施するための形態】
【０００９】
以下、本発明の実施の形態について、図面を参照して詳細に説明する。
（第１実施形態）
先ず、図１〜図９を参照して本発明の第１実施形態を説明する。
本実施形態は、電子機器として撮像装置（デジタルカメラ）に適用した場合で、その筐体に配設した後述のセルフィーパッド上で１次元のスライド操作が行われると、その１次元のスライド操作を、回転角に変換すると共に、この変換した回転角に応じて、表示されているオブジェクト（後述する）を回転させる制御を行うことを特徴としている。
【００１０】
図１は、電子機器として適用した撮像装置（デジタルカメラ）の基本的な構成要素を示したブロック図である。この撮像装置（デジタルカメラ）は、被写体を高精細に撮影可能な撮像機能、現在日時やタイマ時間を計時する計時機能、記録保存されている撮影済み画像（保存画像）を任意に読み出して再生する画像再生機能などを備えている。制御部１は、電源部（二次電池）２からの電力供給によって動作し、記憶部３内に格納されている各種のプログラムに応じてこの撮像装置の全体動作を制御するもので、この制御部１には図示しないＣＰＵ（中央演算処理装置）やメモリなどが設けられている。
【００１１】
記憶部３は、例えば、ＲＯＭ、フラッシュメモリなどを有する構成で、後述する図７及び図８に示した動作手順に応じて本実施形態を実現するためのプログラムや各種のアプリケーションなどが格納されているプログラムメモリ３Ａと、フラグなどを一時記憶するワークメモリ３Ｂ、後述するセルフィーパッド機能テーブル３Ｃなどを有している。なお、記憶部３は、例えば、ＳＤカード、ＩＣカードなど、着脱自在な可搬型メモリ（記録メディア）を含む構成であってもよく、図示しないが、通信機能を介してネットワークに接続されている状態においては所定のサーバ装置側の記憶領域を含むものであってもよい。
【００１２】
操作部４は、ハードキー４ａとセルフィーパッド４ｂを有する構成で、ハードキー４ａは、図示省略したが、電源オン／オフを行う電源キー、撮影が可能なモード（ＲＥＣモード）と撮影済み画像（保存画像）を再生するモード（ＰＬＡＹモード）などを切り替えるモード変更キー、撮影を指示するレリーズキーなど、各種のキーを備えたもので、制御部１は、このハードキー４ａの操作に応じて、例えば、モード変更処理、撮影処理、ズーム調整処理などを行う。セルフィーパッド４ｂは、後で詳述するが、撮像装置を構成する筐体の側面に配設されたタッチ操作部（タッチパネル）であり、ユーザが筐体を手で握りながら指でタッチ操作（タッチしながら移動するスライド操作）を行うことが可能なユーザインタフェイスである。
【００１３】
撮像部５は、図示しないが、光学レンズからの被写体画像が撮像素子（ＣＣＤやＣＭＯＳなど）に結像されることにより被写体を高精細に撮影することが可能なもので、撮影レンズ、撮像素子、ストロボ、各種のセンサ、アナログ処理部、デジタル処理部を有している。この撮像部５によって撮影された画像は、画像圧縮処理が施された後、記憶部３の記録メディアに記録保存される。タッチ表示部６は、高精細液晶などの表示部上に透明のタッチ操作部が積層されたもので、各種のソフトウェアキー（アイコン、タッチキー）を割り当て配置してその機能名を表示したり、指などによるタッチ操作を感知してそのタッチ操作に応じた操作信号を入力したりする。タッチ表示部６の表示画面は、撮像された画像（ライブビュー画像）をリアルタイムに表示するモニタ画面（ライブビュー画面）となったり、撮影済み画像を再生する再生画面となったりする。
【００１４】
図２及び図３は、撮像装置の外観図で、タッチ表示部６とセルフィーパッド（タッチ操作部）４ｂとの位置関係を説明するための図である。
図２（１）は、撮像装置の正面図であり、図２（２）は、その一側面図である。撮像装置を構成する筐体１１は、薄型矩形の表示ブロック１１ａと、この表示ブロック１１ａの周囲を囲む矩形枠状のフレームブロック１１ｂと、表示ブロック１１ａとフレームブロック１１ｂとを連結するレンズブロック１１ｃとを有する構成で、表示ブロック１１ａの一端中央部（図２（１）の例では上端中央部）とレンズブロック１１ｃの一端中央部（図２（１）の例では下端中央部）とは、横回転用のヒンジ部（図示省略）を介して横方向に回転可能に取り付けられている。
【００１５】
フレームブロック１１ｂの両端部内側（図２（１）の例では左右側上部内側）とレンズブロック１１ｃの両端部（図２（１）の例では左右側部）とは、縦回転用のヒンジ部（図示省略）を介して縦方向に回転可能に取り付けられている。表示ブロック１１ａにはその中央部分にタッチ表示部６が配設されている。フレームブロック１１ｂの一側部（図２（１）では右側部）には、セルフィーパッド４ｂが配設され、レンズブロック１１ｃの中央部には撮像部５を構成する撮影レンズ５ａが配設されている。このように表示ブロック１１ａ側のタッチ表示部６とフレームブロック１１ｂ側のセルフィーパッド４ｂとはそれぞれ異なる位置に配設されている。また、表示ブロック１１ａとレンズブロック１１ｃを回転可能としているため、タッチ表示部６と撮影レンズ５ａとが同じ向きとなる自分撮り用としたり、タッチ表示部６と撮影レンズ５ａとが反対方向となる通常撮影用としたりすることができる。なお、表示ブロック１１ａとレンズブロック１１ｃを一体化して本体ブロックとし、フレームブロック１１ｂの両端部内側（図２（１）では左右側上部内側）と本体ブロックの両端部（図２（１）では左右側部）とが、縦回転用のヒンジ部（図示省略）を介して縦方向に回転可能に取り付けられるようにしてもよい。
【００１６】
セルフィーパッド４ｂは、複数枚（本実施形態では１５枚）の小片状のタッチパネルＴを縦一列に配列（一次元配列）した構成の帯状のタッチ操作部であり、１６点スイッチ（接点）として使用可能な構成となっている。筐体１１をユーザが手で握りながら指（例えば、親指や人差し指）でセルフィーパッド４ｂ上をタッチ操作すると、そのタッチ操作に応じた操作検出信号は、制御部１に与えられる。なお、図中、セルフィーパッド４ｂに沿って便宜上付加した「１」〜「１６」の数字は、縦一列に配列された各タッチパネルＴを識別するための接点番号を示している。制御部１は、セルフィーパッド４ｂからの操作検出信号を基に、セルフィーパッド４ｂ上で１次元のスライド操作が行われたか否かを判別し、１次元のスライド操作が行われた場合には、そのスライド操作方向（＋方向：順方向／−方向：逆方向）、スライド操作量（移動したタッチパネルＴの数：接点数）などを検出するようにしている。
【００１７】
図２は、表示ブロック１１ａがフレームブロック１１ｂ内に収まっている状態（閉じられている状態）を示しているのに対し、図３は、この閉じられた状態から表示ブロック１１ａ、レンズブロック１１ｃに対してフレームブロック１１ｂを縦方向に回転させて開いた状態であり、タッチ表示部６と撮影レンズ５ａとが同じ向きとなる自分撮り用のスタイルに変化させた状態を示した図である。この状態から表示ブロック１１ａを横方向に１８０°回転させて、タッチ表示部６と撮影レンズ５ａとが反対側の向きとなる通常の撮影スタイルに変化させることもできる。
【００１８】
図４は、タッチ表示部６にライブビュー画像が表示されるモニタ画面又は記録保存されている記録画像が再生表示される再生画面において、その一部分に表示される円状のオブジェクト１２を説明するための図である。
円状のオブジェクト１２は、全体が円弧状（図示の例では円形）を成し、同形同大の複数の小円オブジェクト（アイコン）を円弧上（円周上）に均等（等分）配列した概念的な構成の仮想オブジェクトで、各小円オブジェクト（アイコン）は、画像処理の種類に対応して設けられ、その処理内容が図案化や記号化などで表現されて成るもので、図中、各小円内のアルファベット文字Ａ、Ｂ、Ｃ、…、Ｍは、画像処理毎にその処理内容を示すために便宜的に付したものである。
【００１９】
このように円状オブジェクト１２は、円弧上に配置された複数のオブジェクト（例えば、小円オブジェクト）を含む全体オブジェクトで、図示のように、その中心点を画面の一角（例えば、右下角部）に合わせて配置した状態において、その左上の１／４の領域（扇形部分）が画面内に表示される表示部分となり、その他の３／４の領域が非表示部分となる仮想的な（概念的な）オブジェクトである。制御部１は、セルフィーパッド４ｂ上でのスライド操作を検出すると、そのスライド操作に応じて、円状オブジェクト１２を回転させる制御を行う。この場合、円状オブジェクト１２を構成する各小円オブジェクトの位置が円弧上で変化するように、円状オブジェクト１２を回転させる。
【００２０】
そして、円状オブジェクト１２は、円弧上（円周上）に均等（等分）配列された小円オブジェクト（アイコン）のうち、その隣り合う小円アイコンが成す中心角を所定の回転角（基本回転角）として、１基本回転角刻みで回転するが、その基本回転角の回転によって画面内に出現する小円アイコンと画面内からはみ出る小円アイコンが順次変化するため、上述の表示部分の内容と非表示部分の内容も順次変化することになる。円状オブジェクト１２の回転とは、概念的な回転（仮想的な回転）を意味し、実際に円状オブジェクト１２をその中心点を基準にして回転させる場合と同様の表示制御を示している（以下、同様）。
【００２１】
このように構成された円状オブジェクト１２は、その大きさ（半径）が同じであれば、その小円アイコン（オブジェクト）の数に応じて、隣り合う小円アイコン同士が成す中心角が異なるため、所定の回転角（基本回転角）は、小円アイコンの数に応じて異なるようになる。図４（１）は、小円の数が“１３個”で、所定の回転角が“θ１”の場合を示し、図４（２）は、小円の数が“８個”で、所定の回転角が“θ２”の場合を示し、これらの所定の回転角θ１、θ２は、θ２＞θ１と関係となっている。
【００２２】
撮影者自身を自分撮りした画像に対して、所定の画像処理（セルフィーアート）を施す場合、例えば、図中、“Ａ”の小円アイコンは、露出をオーバーさせて明るく爽やかに仕上げる画像処理を示し、“Ｂ”の小円アイコンは、全体をぼかして、柔らかく幻想的に仕上げる画像処理を示し、“Ｃ”の小円アイコンは、周囲を暗くし、色合いを変えて、郷愁を感じるように仕上げる画像処理を示し、“Ｄ”の小円アイコンは、彩度を強調して色彩豊かに仕上げる画像処理を示している。なお、図示の例において、画面内に表示されている複数のアイコン（小円）のうち、その中央部分に位置する小円を太線で表現しているが、この太線の小円は、現在選択されている有効な画像処理を示している。つまり、各種の画像処理のうち、ユーザの所望する処理を任意に選択してその処理の実行を指示するには、円状オブジェクト１２を回転させることにより所望する処理を示す小円アイコンが上述の中央部分に位置するように円状オブジェクト１２を回転させればよい。
【００２３】
図５（１）は、図４（１）の場合と同様に、小円の数が“１３個”で、所定の回転角が“θ１”の場合の円状オブジェクト１２であるのに対し、図５（２）は、小円の数が“２１個”で、所定の回転角が“θ１”の場合の円状オブジェクト１２を示している。この場合、図５（１）に示した円状オブジェクト１２の半径を“ｒ１”、図５（２）に示した円状オブジェクト１２の半径を“ｒ２”とすると、ｒ１＜ｒ２の関係となるが、所定の回転角（基本回転角）は、同一の“θ１”となっている。
【００２４】
図６（１）は、セルフィーパッド機能テーブル３Ｃを説明するための図である。
セルフィーパッド機能テーブル３Ｃは、セルフィーパッド４ｂ上のスライド操作に応じて実行される機能を示したテーブルで、図６（１）に示すように「基本動作モード」、「機能」、「円状オブジェクト」、「回転動作モード」、「回転角」、「制御パラメータ」、「制御量」の各項目を有している。「基本動作モード」は、撮像装置の基本的な動作モードとして“ＲＥＣモード（撮影モード）”又は“ＰＬＡＹモード（再生モード）”を記憶する項目である。
【００２５】
「機能」は、基本動作モード（ＲＥＣモード、ＰＬＡＹモード）別にセルフィーパッド４ｂ上のスライド操作で実行可能となる各種の機能を記憶する項目で、図示の例は“ＲＥＣモード”に対応して“セルフィーアート”、“通常撮影”、…、の機能を記憶し、“ＰＬＡＹモード”に対応して“動画再生・音楽再生”、…、の機能を記憶した場合を示している。更に“通常撮影”の機能は、絞り優先オートの“Ａモード”と、シャッター速度優先オートの“Ｓモード”と、絞り及びシャッター速度をマニュアル調整する“Ｍモード”とに区分されている。「円状オブジェクト」は、基本動作モード別の各「機能」に対応付けられた円状オブジェクト１２の種類を記憶する項目で、図示の例は“ＲＥＣモード”の“セルフィーアート”に対応して“Ｘ”の円状オブジェクトを記憶し、また、“通常撮影”の“Ａモード”に対応して“Ｙ１”、“Ｓモード”に対応して“Ｙ２”、“Ｍモード”に対応して“Ｚ１”、ＰＬＡＹモードの“動画再生・音楽再生”に対応して“Ｚ２”の円状オブジェクトを記憶した場合である。
【００２６】
「回転動作モード」は、セルフィーパッド４ｂ上でのスライド操作に応じて円状オブジェクト１２を回転させる場合の動作内容を示したもので、制御部１は、モニタ画面又は再生画面に円状オブジェクト１２の一部分が表示されている状態において、セルフィーパッド４ｂ上で１次元（例えば、直線的な方向：上下方向又は左右方向）のスライド操作が行われると、その１次元のスライド操作を、回転角に変換し、この回転角に応じて、円状オブジェクト１２を回転させる制御を行うようにしている。
【００２７】
図示の例は“ＲＥＣモード”において、“セルフィーアート”に対応する「回転動作モード」としてモード（１）”を記憶した場合、“通常撮影”の“Ａモード”、“Ｓモード”、“Ｍモード”に対応して“モード（２）”、“ＰＬＡＹモード”において“動画再生・音楽再生”に対応して“モード（２）”を記憶した場合を示している。図６（２）は、「回転動作モード」の動作内容を説明するための図で、“モード（１）”は、“スライド操作量によらず、１回のスライド操作に応じて所定の回転角で回転”することを示し、“モード（２）”は、“スライド操作量に応じた回転角で回転”することを示している。
【００２８】
「回転角」は、セルフィーパッド４ｂ上のスライド操作に応じて回転される円状オブジェクト１２の回転角を示し、「回転動作モード」別に回転角を記憶する項目である。図示の例は“ＲＥＣモード”の“モード（１）”に対応して、所定の回転角（基本回転角）として“ａ°”を記憶し、“ＲＥＣモード”の“モード（２）”に対応して、“ａ°×接点数”を記憶し、“ＰＬＡＹモード”の“モード（２）”に対応して、“ｂ°×接点数”を記憶した場合を示している。なお、“ｂ°”は、“ａ°”とは異なる所定の回転角（基本回転角）を示しているが、これらを共通の所定の回転角“ａ°又は“ｂ°”としてもよい。また、逆に“セルフィーアート”と各“通常撮影”とで異なる所定の回転角（基本回転角）としてもよく、更に“通常撮影（Ａモード）”、“通常撮影（Ｓモード）”、“通常撮影（Ｍモード）”の各々で異なる所定の回転角（基本回転角）としてもよい。“接点数”は、セルフィーパッド４ｂ上のスライド操作に応じたスライド操作量を示している。なお、上述の例において「回転角」は、「回転動作モード」別に記憶する場合を例示したが、「円状オブジェクト」別又は「機能」別に記憶するようにしてもよい。
【００２９】
「制御パラメータ」は、セルフィーパッド４ｂ上のスライド操作に応じて制御される機能のパラメータ（例えば、機能が撮影の場合には撮影パラメータ）を示している。図示の例は、“セルフィーアート”の機能に対応して“セルフィーアートの種類”を記憶し、“通常撮影（Ａモード）”の機能に対応して“絞り”、“通常撮影（Ｓモード）”に対応して“シャッター速度”、“通常撮影（Ｍモード）”に対応して“絞り／シャッター速度（ユーザ設定）”、更に“動画再生・音楽再生”に対応して“音量”を記憶した場合で、制御部１は、セルフィーパッド４ｂ上のスライド操作に応じて機能毎にその「制御パラメータ」を制御するようにしている。
【００３０】
「制御量」は、対応する「制御パラメータ」の制御量を示し、図示の例は、「制御パラメータ」の“セルフィーアートの種類”に対応して“１種類”、また、「制御パラメータ（撮影パラメータ）」の“絞り”、“シャッター速度”、“絞り／シャッター速度（ユーザ設定）”に対応して“ステップ×接点数／２”、また、「制御パラメータ（再生パラメータ）」の“動画再生・音楽再生”に対応して“接点数×Ｂ［ｄｂ］”を記憶した場合である。なお、「制御量」内で示した“ステップ”は、図示のように、絞り値（Ｆ値）の場合には、「最小絞り」、…、「８」、「６．４」、「５．６」、「４．５」、「２．８」…、「開放」の各ステップを示し、シャッター速度の場合には、「最低速」、…、「１／２」、「１／４」、「１／８」、「１／１５」、「１／３０」、「１／６０」、…、「最高速」の各ステップを示している。
【００３１】
次に、第１実施形態における撮像装置の動作概念を図７及び図８に示すフローチャートを参照して説明する。ここで、このフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。このことは後述する他の実施形態においても同様であり、記録媒体の他に、伝送媒体を介して外部供給されたプログラム／データを利用して本実施形態特有の動作を実行することもできる。
【００３２】
図７は、第１実施形態における撮像装置の全体動作（本実施形態の特徴的な動作）を示したフローチャートであり、電源投入に応じて実行開始される。
先ず、制御部１は、基本的な動作モードの切り替え状態を調べ（ステップＡ１）、“ＲＥＣモード”に切り替えられている場合には（ステップＡ１でＹＥＳ）、機能切り替え操作が行われたかを調べる（ステップＡ２）。ここで、機能切り替え操作が行われると（ステップＡ２でＹＥＳ）、その切り替え操作に応じて指定された機能を実行可能とする状態に切り替える機能切替処理を実行する（ステップＡ３）。そして、セルフィーパッド機能テーブル３Ｃを参照し、機能の切り替えによって新たに指定された機能に対応する円状オブジェクト１２を特定し、この円状オブジェクト１２をライブビュー画面（モニタ画面）の一部分に表示させる処理（ステップＡ４）を行った後、上述のステップＡ１に戻る。
【００３３】
図９は、各種の機能に対応して設けられた円状オブジェクト１２を説明するための図である。
図９（１）は、“ＲＥＣモード”で指定機能が“セルフィーアート”の場合に表示される円状オブジェクト１２の例示したもので、その左上の１／４の領域（扇形部分）が画面内に表示される表示部分となっている。図示の例は、３つの小円アイコン（オブジェクト）として“Ａ”、“Ｂ”、“Ｃ”が表示されている状態を示し、その中央部分に配置された小円アイコン“Ｂ”が太線表示されて現在有効な画像処理であることを示している。
【００３４】
図９（２）は、“ＲＥＣモード”において指定機能が絞り優先オートの“通常撮影（Ａモード）”の場合に表示される円状オブジェクト１２を例示し、図９（３）は、“ＰＬＡＹモード”の“動画再生・音楽再生”の場合に表示される円状オブジェクト１２を例示したものである。この図９（２）、図９（３）の円状オブジェクト１２は、図９（１）に例示した円状オブジェクト１２と同様に、その中心点を画面の一角（右下角部）に合わせて配置した状態において、その左上の１／４の領域（扇形部分）が画面内に表示される表示部分となり、その他の３／４の領域が非表示部分となるが、以下の点が異なる。
【００３５】
すなわち、図９（１）の円状オブジェクト１２は、小円アイコンを弧状上（円周上）に均等（等）配列した構成であるのに対し、図９（２）の円状オブジェクト１２は、円板の上面周縁に絞り値を示す数値（指標）を均等（等分）配置した構成で、図示の例は、絞り値として３つの値“４．５”、“５．６”、“６．４が表示されている状態を示している。また、図９（３）の円状オブジェクト１２は、円板の上面周縁に音量を示す数値（指標）を均等（等分）配置した構成で、図示の例は、音量として３つの値“４”、“５”、“６が表示されている状態を示している。なお、指標は数値に限らず、記号、文字、図形などであってもよい、
【００３６】
一方、“ＲＥＣモード”において、セルフィーパッド４ｂ上でスライド操作が行われると（図７のステップＡ５でＹＥＳ）、セルフィーパッド４ｂ上でのタッチ操作の有無、スライド操作方向、スライド操作量などを検出する動作を開始し（ステップＡ６）、セルフィーパッド４ｂ上からタッチが離れたか（タッチ操作が解放されたか）を調べる（ステップＡ７）。いま、タッチが離れたことを検出すると（ステップＡ７でＹＥＳ）、セルフィーパッド４ｂ上のスライド操作に応じた処理に移る（ステップＡ８）。また、その他の操作として、例えば、ハードキー４ａが操作された場合やセルフィーパッド４ｂ上で他のタッチ操作（例えば、スライド操作を除くタップ操作など）が行われた場合には（ステップＡ５でＮＯ）、その他の操作に応じた処理に移り（ステップＡ９）、例えば、基本動作モードを切り替える処理などを実行した後、上述のステップＡ１に戻る。なお、図示しないが、ステップＡ９におけるその他の操作として電源オフ操作が行われた場合は、電源をオフする処理を行い、本フローチャートの処理を終了する。
【００３７】
図８は、セルフィーパッド４ｂ上のスライド操作に応じた処理（図７のステップＡ８）を詳述するためのフローチャートである。
先ず、制御部１は、上述のスライド操作検出処理（図７のステップＡ６）によって得られたスライド操作方向（＋方向／−方向）を取得する（ステップＢ１）。そして、現在設定されている基本動作モード及び指定機能に基づいてセルフィーパッド機能テーブル３Ｃを参照し（ステップＢ２）、その基本動作モード及び指定機能に対応する「回転動作モード」を特定して（ステップＢ３）、この「回転動作モード」は、“モード（１）”であるかを調べる（ステップＢ４）。
【００３８】
いま、例えば、“ＲＥＣモード”で“セルフィーアート”の場合に、その「回転動作モード」は“モード（１）”であるから（ステップＢ４でＹＥＳ）、セルフィーパッド機能テーブル３Ｃから“モード（１）”に対応する「回転角」を読み出すことによりスライド操作を回転角“ａ°”に変換する（ステップＢ５）。そして、ステップＢ１で取得したスライド操作方向とステップＢ５で変換した回転角を基に円状オブジェクト１２を回転させる（ステップＢ６）。すなわち、「回転動作モード」が“モード（１）”の場合の動作内容は、図６（２）に示すように、“スライド操作量によらず、１回のスライド操作に応じて所定の回転角で回転”であるから、円状オブジェクト１２をスライド操作方向（＋方向であれば時計回り／−方向であれば反時計回り）に所定の回転角“ａ°”だけ回転させる。
【００３９】
次に、基本動作モード及び指定機能に基づいて「制御パラメータ」を特定すると共に（ステップＢ７）、その「制御量」を特定する（ステップＢ８）。そして、この「制御パラメータ」をスライド操作方向にその「制御量」だけ変更させる制御を行う（ステップＢ９）。例えば、“ＲＥＣモード”で“セルフィーアート”の場合には、「制御パラメータ」として“セルフィーアートの種類”を特定すると共に、「制御量」として“１種類”を特定し、この「セルフィーアートの種類」をスライド操作方向（＋方向であれば順方向／−方向であれば逆方向）に“１種類”だけ変更させる。
【００４０】
一方、“ＲＥＣモード”で“通常撮影”の場合に、「回転動作モード」は“モード（２）”であるから（ステップＢ４でＮＯ）、次のステップＢ１０に移り、上述のスライド操作検出処理（図７のステップＡ６）によって得られたスライド操作量（接点数）を取得し、このスライド操作量（接点数）を回転角に変換して（ステップＢ１１）、この回転角とスライド操作方向に基づいて、円状オブジェクト１２を回転させる（ステップＢ１２）。すなわち、図６（２）に示すように“ＲＥＣモード”で「回転動作モード」が“モード（２）”の場合の動作内容は、“スライド操作量に応じた回転角で回転”であるから、“ａ°×接点数”の計算を行い、このスライド操作量に応じた回転角を求め、円状オブジェクト１２をスライド操作方向（＋方向であれば時計回り／−方向であれば反時計回り）に回転角“ａ°×接点数”だけ回転させる。
【００４１】
そして、基本動作モード及び指定機能に基づいて「制御パラメータ」を特定すると共に（ステップＢ１３）、その「制御量」を特定し（ステップＢ１４）、この「制御パラメータ」をスライド操作方向にその「制御量」だけ変更させる制御を行う（ステップＢ１５）。例えば、“ＲＥＣモード”において、“通常撮影”が“Ａモード”であれば「制御パラメータ」として“絞り”を特定し、“Ｓモード”の場合には「制御パラメータ」として“シャッター速度”を特定し、“Ｍモード”の場合には「制御パラメータ」として“絞り／シャッター速度”（ユーザ設定）を特定する。また、“Ａモード”、“Ｓモード”、“Ｍモード”に関わらず、「ステップ×接点数／２」を計算することによりスライド操作量に応じた「制御量」を求め、「制御パラメータ」をスライド操作方向（＋方向であれば順方向／−方向であれば逆方向）に「制御量」だけ変更させる。
【００４２】
このようにしてスライド操作に応じた処理（図７のステップＡ８）が終ると、図７のステップＡ１に戻る。ここで、基本動作モードを切り替える操作が行われると（ステップＡ２でＮＯ、ステップＢ５でＮＯ）、基本動作モードを切り替え処理（ステップＡ９）が実行される。いま、“ＲＥＣモード”から“ＰＬＡＹモード”に切り替えられた場合には（ステップＡ１でＮＯ）、ステップＡ１０に移り、ＰＬＡＹモードに応じた処理を実行した後、ステップＡ１に戻る。このＰＬＡＹモードに応じた処理（ステップＡ１０）は、上述のステップＡ２〜Ａ８と基本的に同様の処理であるため、その詳細な説明は省略するが、ＰＬＡＹモードにおいて、セルフィーパッド４ｂへのスライド操作が行われると（ステップＡ５でＹＥＳ）、スライド操作の検出処理を開始し（ステップＡ６）、タッチが離れた際に（ステップＡ７でＹＥＳ）、スライド操作に応じた処理（ステップＡ８）に移る。
【００４３】
この場合のスライド操作に応じた処理（ステップＡ８）も“ＲＥＣモード”の場合と同様であり、例えば、基本動作モード及び指定機能が“ＰＬＡＹモード”で“動画再生・音楽再生”の場合に、「回転動作モード」は“モード（２）”であるから（図８のステップＢ４でＮＯ）、スライド操作量（接点数）を取得し（ステップＢ１０）、このスライド操作量（接点数）を回転角“ｂ°×接点数”に変換して（ステップＢ１１）、円状オブジェクト１２をスライド操作方向に回転角だけ回転させる（ステップＢ１２）。そして、「制御パラメータ」として“音量”を特定すると共に（ステップＢ１３）、“接点数×Ｂ［ｄｂ］”を計算することによりスライド操作量に応じた「制御量」を特定し（ステップＢ１４）、この「制御パラメータ」をスライド操作方向にその「制御量」だけ変更させる制御を行う（ステップＢ１５）。このようにして“ＰＬＡＹモード”において、スライド操作に応じた処理（図７のステップＡ８）が終ると、図７のステップＡ１に戻り、以下、上述の動作を繰り返す。
【００４４】
以上のように、第１実施形態において制御部１は、セルフィーパッド４ｂ上における１次元のスライド操作を検出すると、その１次元のスライド操作を、回転角に変換すると共に、この回転角に応じて、タッチ表示部６に表示されているオブジェクトを回転させる制御を行うようにしたので、直線的な動きのスライド操作であっても複雑な操作を行っているかのように見せることができ、ユーザにあっては、例えば、ハードジョグダイヤルと呼ばれる回転型セレクタのようなハードウェアの操作子を操作しているような実感を得ることができ、タッチ操作の操作感をより向上させる表示制御を実現することができる。
【００４５】
制御部１は、セルフィーパッド４ｂ上で１次元のスライド操作が行われた場合にそのスライド操作方向（＋方向／−方向）を検出し、この１次元のスライド操作をそのスライド操作方向の回転角に変換するようにしたので、円状オブジェクト１２を時計回りに回転させたり、反時計回りに回転させたりすることができる。
【００４６】
制御部１は、セルフィーパッド４ｂ上における１次元の１回のスライド操作を、所定の回転角に変換し、タッチ表示部６に表示されている円状オブジェクト１２を所定の回転角（例えば、基本回転角“ａ°”）で回転させる制御を行うようにしたので、ユーザにあっては、１回のスライド操作で円状オブジェクト１２を一律に回転させることが可能となる。
【００４７】
制御部１は、セルフィーパッド４ｂ上における１次元のスライド操作を、そのスライド操作量と所定の回転角に応じて算出した回転角（例えば、“ａ°×接点数”）に変換し、この算出した回転角で円状オブジェクト１２を回転させる制御を行うようにしたので、ユーザにあっては、スライド操作量を調整することにより円状オブジェクト１２を所望する角度だけ回転させることができる。
【００４８】
所定の回転角は、円状オブジェクト１２の種類に応じて異なるようにしたので、例えば、図４（１）、（２）に示すように、円状オブジェクト１２の大きさ（半径）が同じであれば、その小円アイコン（オブジェクト）の数に応じて、隣り合う小円アイコン同士が成す中心角が異なるようになるため、制御部１は、円状オブジェクト１２の種類（小円アイコンの数）に応じて異なる回転角で円状オブジェクト１２を回転させることができる。
【００４９】
円状オブジェクト１２は、その周縁部の円弧上に異なる複数の指標（例えば、数値）が表示されたオブジェクトであり、制御部1は、スライド操作によって変換した回転角に応じて、円弧上に表示している異なる複数の指標の位置を円弧上で変化させるように円状オブジェクト１２を回転するようにしたので、円状オブジェクト１２の全体を回転させるだけで複数の指標の個々を移動させることができる。
【００５０】
円状オブジェクト１２は、円弧上に配置された複数のオブジェクト（例えば、小円アイコン）を含む全体のオブジェクトであり、制御部１は、スライド操作によって変換した回転角に応じて、円弧上の各小円アイコントの位置を円弧上で変化させるように円状オブジェクト１２を回転するようにしたので、円状オブジェクト１２の全体を回転させるだけで複数の小円アイコンの個々を移動させることができる。
【００５１】
円状オブジェクト１２を、画面の隅部に配置したので、例えば、円状オブジェクト１２の中心点を画面の一角部（右下角部）に合わせて配置した状態において、その左上の１／４の領域（扇形部分）を画面内に表示される表示部分とし、その他の３／４の領域を非表示部分とすることができる。
【００５２】
制御部１は、セルフィーパッド４ｂ上における１次元のスライド操作に応じて、所定の機能を制御するようにしたので、円状オブジェクト１２を回転制御することができる他に、所定の機能も制御することが可能となる。
【００５３】
制御部１は、種類の異なる複数の機能の中から任意に指定された機能を制御する他に、その指定機能の種類に応じて異なる回転角で、この指定機能の種類に応じて異なる円状オブジェクト１２を回転するようにしたので、指定された機能を制御する場合にその種類に適した円状オブジェクト１２をその種類に適した回転角で回転することができる。
【００５４】
なお、本実施形態においては、図２のようにフレームブロック１１ｂを閉じた状態で、セルフィーパッド４ｂがタッチ表示部６より下側にある場合の例として、タッチ表示部６の右下側に円状オブジェクト１２を表示するようにしているが、図３のようにフレームブロック１１ｂを開いた状態で、セルフィーパッド４ｂがタッチ表示部６より上側にある場合は、タッチ表示部６の右上側に円状オブジェクト１２を表示するようにしてもよい。
【００５５】
また、本実施形態においては、図２のようにタッチ表示部６と撮影レンズ５ａとが同じ向きとなる自分撮り用のスタイルで、セルフィーパッド４ｂがタッチ表示部６より右側にある場合の例として、タッチ表示部６の右下側に円状オブジェクト１２を表示するようにしたが、タッチ表示部６と撮影レンズ５ａとが反対方向となる通常撮影用のスタイルで、セルフィーパッド４ｂがタッチ表示部６より左側となる場合は、タッチ表示部６の左下側に円状オブジェクト１２を表示するようにするにしてもよく、更に、フレームブロック１１ｂを開いた状態で、セルフィーパッド４ｂがタッチ表示部６より左側かつ上側となる場合は、タッチ表示部６の左上側に円状オブジェクト１２を表示するようにしてもよい。
このようにセルフィーパッド４ｂとタッチ表示部６との位置関係に応じて、円状オブジェクト１２をタッチ表示部６の異なる位置に表示するようにすれば、操作性と共に視認性を維持することが可能となる。
【００５６】
また、上述の実施形態においては、セルフィーパッド機能テーブル３Ｃにおける“円状オブジェクト”の設定が“Ｘ”の場合に、円状オブジェクト１２を回転させることにより所望する処理を示す小円アイコンを、所定の回転角分移動させることで、円状オブジェクト１２を回転させるようにしてもよい。
【００５７】
（第２実施形態）
以下、この発明の第２実施形態について図１０乃至図１２を参照して説明する。
なお、上述した第１実施形態においては、１つの円状オブジェクト１２が表示されている状態において、セルフィーパッド４ｂ上でスライド操作が行われると、その円状オブジェクト１２を回転させるようにしたが、この第２実施形態においては、１つの画面内に２つの円状オブジェクト１２が表示されている状態において、セルフィーパッド４ｂ上のタッチ位置に応じて、２つの円状オブジェクト１２のいずれか一方を選択して回転させるようにしたものである。ここで、両実施形態において基本的あるいは名称的に同一のものは、同一符号を付して示し、その説明を省略すると共に、以下、第２実施形態の特徴部分を中心に説明するものとする。
【００５８】
第２実施形態のセルフィーパッド４ｂは、その帯状の長手方向を論理的に二等分することによって２つのタッチ領域、つまり、上側半分の領域（図２（２）の接点「１」〜「８」）と下側半分の領域（同「９」〜「１６」）に区分したもので、制御部１は、セルフィーパッド４ｂ上でスライド操作が行われた際に、上側半分の領域でスライド操作が行われたのか、下側半分の領域でスライド操作が行われたのかを判別し、スライド操作されたタッチ領域に対応付けられている円状オブジェクト１２を回転対象として選択するようにしている。
【００５９】
図１０は、第２実施形態におけるセルフィーパッド機能テーブル３Ｃを説明するための図である。
セルフィーパッド機能テーブル３Ｃは、第１実施形態（図６（１）参照）と同様に、「基本動作モード」、「機能」、「円状オブジェクト」、「回転動作モード」、「回転角」、「制御パラメータ」、「制御量」の各項目を有する構成で、「基本動作モード」、「機能」、「回転動作モード」、「回転角」の内容は、図６（１）と基本的には同様であるが、「円状オブジェクト」、「制御パラメータ」、「制御量」の内容は図６（１）の場合と異なる。
【００６０】
すなわち、第２実施形態の「制御パラメータ」は、１つの機能に対応して２種類の制御パラメータを記憶する構成で、図示の例は、“ＲＥＣモード”において「機能」が“メイクアップ”に対応する２種類の「制御パラメータ」として、“肌のなめらかさ”、“美白”を記憶し、それらの「制御量」として“１ステップ”を記憶した場合である。また、“通常撮影（Ａモード）”に対応する２種類の制御パラメータとして、“露出補正”、“絞り”、“通常撮影（Ｓモード）”に対応する２種類の「制御パラメータ」として、“露出補正”、“シャッター速度”、また、“通常撮影（Ｍモード）”に対応する２種類の制御パラメータとして、“シャッター速度”、“絞り”を記憶し、それらの「制御量」として“ステップ×接点数／２”を記憶した場合である。
【００６１】
更に、“ＰＬＡＹモード”において「機能」が“動画再生・音楽再生”に対応する２種類の「制御パラメータ」として、“再生速度”、“音量”を記憶し、“再生速度”の「制御量」として“＋方向  接点数×１．５［倍速］、又は−方向  接点数／１．５［倍速］”を記憶し、“音量”の「制御量」として“接点数×Ｂ［ｄｂ］”を記憶した場合である。なお、「制御量」内で示した“ステップ”は、絞り値（Ｆ値）及びシャッター速度の場合には、図６（１）の場合と同様であるが、露出補正の場合には、「最小値」、…、「−２」、「−１．５」、「−１」、「−０．５」、「０」、「＋０．５」、「＋０．５」、「＋１」、「＋１．５」、「＋２」、…、「最大値」の各ステップを示している。
なお、例えば、“ＲＥＣモード”“通常撮影（Ａモード）”で“露出補正”は“モード（１）”、“絞り”は“モード（２）”のように、２種類の円状オブジェクト毎に異なる回転動作モードを設定してもよい。
【００６２】
また、図示の例は、「制御パラメータ」毎に種類の異なる「円状オブジェクト」を記憶した場合を示している。例えば、“メイクアップ”の制御パラメータ“肌のなめらかさ”に対応する「円状オブジェクト」として“Ｘ１”を記憶し、“美白”に対応する「円状オブジェクト」として“Ｘ２”を記憶した場合である。更に、“Ｙ１”、“Ｙ２”、…は、機能が“通常撮影”の場合の各制御パラメータに対応付けられた「円状オブジェクト」を示し、“Ｚ１”、“Ｚ２”…は、機能が“動画再生・音楽再生”の場合の各制御パラメータに対応付けられた「円状オブジェクト」を示している。
【００６３】
図１１は、第２実施形態において機能毎に設けられた２種類の円状オブジェクト１２の表示例を示した図で、１つの画面内に２種類の円状オブジェクト１２を表示させた場合である。
図１１（１）は、基本動作モードが“ＲＥＣモード”及び指定機能が“メイクアップ”の場合の表示例を示し、画面の右上角部には、「制御パラメータ」が“肌のなめらかさ”に対応する「円状オブジェクト」の“Ｘ１”が表示され、画面の右下角部には、“美白”に対応する「円状オブジェクト」の“Ｘ２”が表示される。制御部１は、セルフィーパッド４ｂの長さ方向を論理的に二等分し、その上側半分の領域でスライド操作が行われた場合には画面の右上角部の「円状オブジェクト」の“Ｘ１”を回転させ、その下側半分の領域でスライド操作が行われた場合には画面の右下角部の「円状オブジェクト」の“Ｘ２”を回転させる。
【００６４】
同様に、図１１（２）は、“ＲＥＣモード”で“通常撮影（Ａモード）”の場合の表示例を示し、画面の右上角部には、「制御パラメータ」が“露出補正”に対応する「円状オブジェクト」の“Ｙ１”が表示され、画面の右下角部には、“絞り”に対応する「円状オブジェクト」の“Ｙ２”が表示される。制御部１は、セルフィーパッド４ｂの上側半分の領域でスライド操作が行われた場合には画面の右上角部の「円状オブジェクト」の“Ｙ１”を回転させ、その下側半分の領域でスライド操作が行われた場合には画面の右下角部の「円状オブジェクト」の“Ｙ２”を回転させる。
【００６５】
図１１（３）は、“ＰＬＡＹモード”で“動画再生・音楽再生”の場合の表示例を示し、画面の右上角部には、「制御パラメータ」が“再生速度”に対応する「円状オブジェクト」の“Ｚ１”が表示され、画面の右下角部には、“音量”に対応する「円状オブジェクト」の“Ｚ２”が表示される。制御部１は、セルフィーパッド４ｂの上側半分の領域でスライド操作が行われた場合には画面の右上角部の「円状オブジェクト」の“Ｚ１”を回転させ、その下側半分の領域でスライド操作が行われた場合には画面の右下角部の「円状オブジェクト」の“Ｚ２”を回転させる。
【００６６】
図１２は、第２実施形態において、セルフィーパッド４ｂ上のスライド操作に応じた処理（図７のステップＡ８）を詳述するためのフローチャートである。図１２は、第１実施形態で示した図８のフローチャートと基本的に同様であるが、第２実施形態においては、ステップＣ１、Ｃ２を追加した点が相違し、その他は、基本的に同様のステップであるため、以下、相違点を中心に説明するものとする。なお、撮像装置の全体動作は、第１実施形態で示した図７のフローチャートと同様であるため、その説明は省略するが、第２実施形態においては、図７のステップＡ４において機能対応の円状オブジェクト１２を表示する際に、１つの画面内に２種類の円状オブジェクト１２を表示させるようにしている。
【００６７】
このように１つの画面内に２種類の円状オブジェクト１２が表示されている状態において、制御部１は、セルフィーパッド４ｂ上でスライド操作が行われると、そのタッチ位置として、セルフィーパッド４ｂの上側半分の領域内でスライド操作が行われたのか、下側半分の領域内でスライド操作が行われたのかを判別する（ステップＣ１）。そして、２種類の円状オブジェクト１２のうち、スライド操作が行われたタッチ位置（領域）に対応付けられている円状オブジェクト１２を回転対象として特定する（ステップＣ２）。
なお、スライド操作が上側半分の領域と下側半分の領域にまたがる場合は、最初にタッチされた位置の含まれる領域を優先する。
【００６８】
例えば、図１１（１）〜（３）に示すように、画面の右上角部に表示されている円状オブジェクト１２と画面の右下角部に表示されている円状オブジェクト１２のうち、セルフィーパッド４ｂの上側半分の領域でスライド操作が行われた場合には画面の右上角部に表示されている円状オブジェクト１２を回転対象として特定し、下側半分の領域でスライド操作が行われた場合には画面の右下角部に表示されている円状オブジェクト１２を回転対象として特定する。
【００６９】
そして、第１実施形態と同様に、スライド操作方向を取得（ステップＣ３）した後、セルフィーパッド機能テーブル３Ｃを参照して（ステップＣ４）、「回転動作モード」を特定し（ステップＣ５）、この「回転動作モード」が“モード（１）”であれば（ステップＣ６でＹＥＳ）、スライド操作を回転角に変換して（ステップＣ７）、回転対象として特定した円状オブジェクト１２をスライド操作方向に回転角だけ回転させる（ステップＣ８）。例えば、“ＲＥＣモード”で“メイクアップ”の場合に、セルフィーパッド４ｂの上側半分の領域がスライド操作されると、図１１（１）に示すように、画面の右上角部に表示されている円状オブジェクト１２をスライド操作方向に所定の回転角“ａ°”だけ回転させ、下側半分の領域がスライド操作されると、画面の右下角部に表示されている円状オブジェクト１２をスライド操作方向に所定の回転角“ａ°”だけ回転させる。
【００７０】
次に、回転対象の円状オブジェクト１２に対応付けられている「制御パラメータ」を特定すると共に（ステップＣ９）、その「制御量」を特定し（ステップＣ１０）、この「制御パラメータ」をスライド操作方向にその「制御量」だけ変更する制御を行う（ステップＣ１１）。例えば、“ＲＥＣモード”で“メイクアップ”の場合に、セルフィーパッド４ｂの上側半分の領域がスライド操作されると、「制御パラメータ」“肌のなめらかさ”を“１ステップ”変更し、下側半分の領域がスライド操作されると、“美白”を“１ステップ”変更する制御を行う。
【００７１】
一方、“ＲＥＣモード”で“通常撮影”の場合に、「回転動作モード」は“モード（２）”であるから（ステップＣ６でＮＯ）、ステップＣ１２に移り、スライド操作量（接点数）を取得し、このスライド操作量（接点数）を回転角（例えば、“ａ°×接点数”）に変換して（ステップＣ１３）、回転対象として特定した円状オブジェクト１２をスライド操作方向に回転角だけ回転させる（ステップＣ１４）。例えば、“通常撮影（Ａモード）”の場合に、セルフィーパッド４ｂの上側半分の領域がスライド操作されると、図１１（２）に示すように、画面の右上角部に表示されている円状オブジェクト１２をスライド操作方向に回転角“ａ°×接点数”だけ回転させ、下側半分の領域がスライド操作されると、画面の右下角部に表示されている円状オブジェクト１２をスライド操作方向に回転角“ａ°×接点数”だけ回転させる。
【００７２】
次に、回転対象に対応付けられている「制御パラメータ」を特定すると共に（ステップＣ１５）、その「制御量」を特定し（ステップＣ１６）、この「制御パラメータ」をスライド操作方向にその「制御量」だけ変更する制御を行う（ステップＣ１７）。例えば、“ＲＥＣモード”で“通常撮影”の場合に、セルフィーパッド４ｂの上側半分の領域がスライド操作されると、「制御パラメータ」“露出補正”をスライド操作方向に“ステップ×接点数／２”だけ変更し、下側半分の領域がスライド操作されると、“絞り”をスライド操作方向に“ステップ×接点数／２”だけ変更する。
【００７３】
このようにしてスライド操作に応じた処理（図７のステップＡ８）が終ると、図７のステップＡ１に戻る。いま、“ＲＥＣモード”から“ＰＬＡＹモード”に切り替え操作に応じて（ステップＡ１でＮＯ）、ステップＡ１０に移り、ＰＬＡＹモードに応じた処理を行う。例えば、“ＰＬＡＹモード”で“動画再生・音楽再生”の場合に、セルフィーパッド４ｂの上側半分の領域がスライド操作されると、図１１（３）に示すように、画面の右上角部に表示されている円状オブジェクト１２をスライド操作方向に回転角“ｂ°×接点数”だけ回転させる。更に、「制御パラメータ」の“再生速度”をスライド操作方向にその「制御量」だけ変更する。例えば、スライド操作方向が＋方向であれば、“再生速度”を“接点数×１．５［倍速］”だけ変更し、−方向であれば、“接点数／１．５［倍速］”だけ変更させる。
【００７４】
以上のように、第２実施形態においてセルフィーパッド４ｂは、論理的に複数のタッチ領域（上側半分の領域、下側半分の領域）に分かれており、制御部１は、各タッチ領域に対応して表示されている複数の円状オブジェクト１２のうち、スライド操作が行われた領域に対応する円状オブジェクト１２を回転対象として特定し、その回転を制御するようにしたので、１つのセルフィーパッド４ｂを使用して複数の円状オブジェクト１２の回転を制御することが可能となる。
【００７５】
なお、上述した第２実施形態においては、セルフィーパッド４ｂをその長手方向に二等分した場合を例示したが、三等分した場合には、１つの画面内に３つのタッチ領域に対応して３つの円状オブジェクト１２を表示するようにしてもよい。
【００７６】
なお、上述した各実施形態においては、セルフィーパッド４ｂ上での１次元のスライド操作に応じて円状オブジェクト１２の回転させる制御を行うようにしたが、セルフィーパッド４ｂ上のスライド操作に応じた回転角と、筐体の傾きに応じて、円状オブジェクト１２を回転させるようにしてもよい。例えば、図１３に示すように、セルフィーパッド４ｂ上のスライド操作で色相が変化するように円状オブジェクト１２の回転を制御し、筐体の傾きで円状オブジェクト１２の明度が変化するように制御するようにしてもよい。
【００７７】
すなわち、制御部１は、筐体の傾きとして、表示ブロック１１ａに対するフレームブロック１１ｂの傾き角度を検出する。すなわち、表示ブロック１１ａ内にフレームブロック１１ｂが収まっている状態（閉じられている状態）からフレームブロック１１ｂを開く方向に移動した場合のフレームブロック１１ｂの傾きを検出する。図１３（１）は、セルフィーパッド４ｂ上の１次元のスライド操作を示し、図１３（２）は、画面の一部（右下角部）に表示される円状オブジェクト１２を示している。円状オブジェクト１２は、赤、青、緑の３原色とそれら間に混合色を円で表現したオブジェクトで、その回転によって画面内の円状オブジェクト１２の一部分（表示部分）の色相が変化することを示している。
【００７８】
図１３（３）は、表示ブロック１１ａに対するフレームブロック１１ｂの傾き（例えば、９０°〜１８０°）を示し、図１３（４）は、このフレームブロック１１ｂの傾きに応じて変化する明度を示している。図中、上下の矢印（黒の矢印）で示される明度に対応して、画面内における円状オブジェクト１２の明度も変化する。図１３（５）は、色相と明度との関係を示し、図中、縦矢印の方向は、色相の変化方向（上から赤、青、緑）を示し、横矢印の方向は、明度の変化方向（左から暗い、明るい）を示している。図中、白丸は、画面内における（４）の黒の矢印に対応する明度となっている円状オブジェクト１２の色相の位置を示し、円状オブジェクト１２は、この白丸の位置で示される色相と明度となる。
【００７９】
このようにセルフィーパッド４ｂ上の１次元のスライド操作に応じた回転角と筐体の傾きに応じて、円状オブジェクト１２を回転させるようにすれば、簡単な操作で円状オブジェクト１２の表示を多彩に変化させることができる。
【００８０】
この場合、更に、１次元のスライド操作に応じた回転角と、及びフレームブロック１１ｂの傾きに応じて、所望する機能を選択して制御するようにすれば、多種多様な機能の中から所望する機能を選択することが可能となる。
【００８１】
なお、図１３の例においては、セルフィーパッド４ｂ上のスライド操作で色相が変化するように円状オブジェクト１２の回転を制御し、フレームブロック１１ｂの傾きで円状オブジェクト１２の明度が変化するように制御するようにしたが、それとは逆に、スライド操作で明度、フレームブロック１１ｂの傾きで色相を変化させるように制御してもよい。また、スライド操作で円状オブジェクト１２の回転を制御し、フレームブロック１１ｂの傾きで他のオブジェクト（直線状でも円状でもよい）を併せて表示するようにしてもよい。更に、フレームブロック１１ｂの傾きに限らず、機器全体の傾きを検出するようにしてもよい。
【００８２】
また、本実施形態においても、実施形態１同様、図２のようにタッチ表示部６と撮影レンズ５ａとが同じ向きとなる自分撮り用のスタイルで、セルフィーパッド４ｂがタッチ表示部６より右側にある場合の例として、タッチ表示部６の右側に円状オブジェクト１２を表示するようにしたが、タッチ表示部６と撮影レンズ５ａとが反対方向となる通常撮影用のスタイルで、セルフィーパッド４ｂがタッチ表示部６より左側となる場合は、タッチ表示部６の左側に円状オブジェクト１２を表示するようにするにしてもよい。
【００８３】
また、上述した各実施形態においては、画面の角部（例えば、右下角部、右上角部）に円状オブジェクト１２の一部分を表示するようにしたが、画面の角部に限らず、画面の下側、上側など、その表示位置は任意であり、また、円状オブジェクト１２の一部分を表示する場合に限らず、その全部を表示するようにしてもよい。
【００８４】
また、セルフィーパッド４ｂは、小片状のタッチパネルＴを縦一列に配列（一次元配列）した構成としたが、２次元の配列した構成の場合には、１次元のスライド操作のみを検出するようにすればよい。
【００８５】
上述した各実施形態においては、スライド操作を検出（図７のステップＡ５でＹＥＳ）した後、引き続いてその検出処理（ステップＡ６）を行い、タッチが離れたことを条件に（ステップＡ７でＹＥＳ）、つまり、スライド操作が終了した時点でそのスライド操作に応じた処理（図７のステップＡ８）を実行するようにしたが、スライド操作に追従して円状オブジェクト１２を回転させるために、タッチが離れたかの判別を、図８のスライド操作に応じた処理の中で行うようにしてもよい。
【００８６】
上述した各実施形態においては、撮像装置に適用した場合を示したが、それに限らず、パーソナルコンピュータ、ＰＤＡ（個人向け携帯型情報通信機器）、タブレット端末装置、スマートフォンなどの携帯電話機、電子ゲーム、音楽プレイヤーなどの電子機器に適用してもよい。
【００８７】
また、オブジェクトは、回転式の鍵であってもよく、その回転式の鍵を回転させる制御を行うことにより施錠／開錠を促すようにしてもよい。例えば、家庭内の各種電子機器を操作するリモコン（スマホアプリ）に適用した場合に、チャイムが鳴ることに呼応してオブジェクト（玄関ドアの回転式鍵）を表示させ、インタフォンで相手を確認することができた場合にその回転式の鍵の開錠を促すようにしてもよい。また、通信機能を利用して玄関ドアに通信接続することによりそのドアの状態を逐次チェックし、所定時間以上開錠状態が継続している場合には、回転式の鍵を表示して施錠を促すようにしてもよい。更に、家庭内の電子機器がエアコンやオーディオ機器の場合、リモコンの筐体をその家庭内の電子機器に向けると、向けられた電子機器を判別して、その電子機器に適した温度調整や音量調整のためのダイヤルを表示し（現在の設定値の表示も兼ねる）、その調整を可能とするようにしてもよい。
【００８８】
更に、オブジェクトは、ネジなどを表現したオブジェクトであってもよい。この場合、１次元のスライド操作でネジなどを締める／緩めるというようにそのオブジェクトの回転を制御するようにしてもよい。
【００８９】
また、上述した各実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００９０】
以上、この発明の実施形態について説明したが、この発明は、これに限定されるものではなく、特許請求の範囲に記載された発明とその均等の範囲を含むものである。
以下、本願出願の特許請求の範囲に記載された発明を付記する。
（付記）
（請求項１）
請求項１に記載の発明は、
タッチ操作手段と、表示手段を備える電子機器であって、
前記タッチ操作手段上における１次元のスライド操作を検出するタッチ検出手段と、
前記タッチ検出手段により検出される１次元のスライド操作を、回転角に変換する変換手段と、
前記変換手段により変換される回転角に応じて、前記表示手段に表示しているオブジェクトを回転させる制御を行う表示制御手段と、
を備えることを特徴とする。
（請求項２）
請求項２に記載の発明は、請求項１に記載の電子機器において、
前記タッチ検出手段は、１次元のスライド操作が行われた場合にそのスライド操作方向を検出し、
前記変換手段は、前記タッチ検出手段によって検出される１次元のスライド操作をそのスライド操作方向の回転角に変換する、
ことを特徴とする。
（請求項３）
請求項３に記載の発明は、請求項１又は２に記載の電子機器において、
前記変換手段は、前記タッチ検出手段によって検出される１次元の１回のスライド操作を所定の回転角に変換し、
前記表示制御手段は、前記表示手段に表示している円状のオブジェクトを前記所定の回転角で回転させる制御を行う、
ことを特徴とする。
（請求項４）
請求項４に記載の発明は、請求項３に記載の電子機器において、
前記所定の回転角は、前記表示手段に表示している円状のオブジェクトの種類に応じて異なる回転角である、
ことを特徴とする。
（請求項５）
請求項５に記載の発明は、請求項１又は２に記載の電子機器において、
前記タッチ検出手段は、１次元のスライド操作が行われた場合にそのスライド操作量を検出し、
前記変換手段は、前記タッチ検出手段によって検出される１次元のスライド操作をそのスライド操作量と所定の回転角から算出した回転角に変換し、
前記表示制御手段は、前記表示手段に表示している円状のオブジェクトを前記算出した回転角で回転させる制御を行う、
ことを特徴とする。
（請求項６）
請求項６に記載の発明は、請求項３乃至５のいずれか１項に記載の電子機器において、
前記円状のオブジェクトの周縁部には、円弧上に異なる複数の指標が表示され、
前記表示制御手段は、前記変換手段により変換される回転角に応じて、前記表示手段に表示している前記円状のオブジェクト全体を回転させる制御を行うことにより円弧上に表示している異なる複数の指標の位置をその円弧上で変化させる制御を行う、
ことを特徴とする。
（請求項７）
請求項７に記載の発明は、請求項３乃至５のいずれか１項に記載の電子機器において、
前記円状のオブジェクトは、円弧上に配置された複数のオブジェクトを含む全体のオブジェクトであり、
前記表示制御手段は、前記変換手段により変換される回転角に応じて、前記表示手段に表示している前記円状のオブジェクト全体を回転させる制御を行うことにより円弧上の各オブジェクトの個々の位置をその円弧上で変化させる制御を行う、
ことを特徴とする。
（請求項８）
請求項８に記載の発明は、請求項３乃至７のいずれか１項に記載の電子機器において、
前記円状のオブジェクトは、前記表示手段の画面の隅部にその一部が表示されるように配置されたオブジェクトである、
ことを特徴とする。
（請求項９）
請求項９に記載の発明は、請求項１乃至８のいずれか１項に記載の電子機器において、
前記タッチ検出手段は、前記タッチ操作手段上の複数のタッチ領域のうち、１次元のスライド操作が行われたタッチ領域を、更に検出し、
前記表示制御手段は、前記タッチ操作手段上の複数のタッチ領域に対応して前記表示手段に表示している異なる複数のオブジェクトのうち、前記タッチ検出手段により検出されるタッチ領域に対応するオブジェクトを、前記変換手段により変換される回転角で回転させる制御を行う、
ことを特徴とする。
（請求項１０）
請求項１０に記載の発明は、請求項１乃至９のいずれか１項に記載の電子機器において、
前記タッチ検出手段により検出される１次元のスライド操作に応じて所定の機能を制御する機能制御手段を、更に備える。
ことを特徴とする。
（請求項１１）
請求項１１に記載の発明は、請求項１０に記載の電子機器において、
前記所定の機能は、種類の異なる複数の機能の中から任意に指定された機能であり、
前記変換手段は、前記指定された機能の種類に応じて異なる回転角に変換し、
前記表示制御手段は、前記指定された機能の種類に応じて異なる円状のオブジェクトを回転させる制御を行い、
前記機能制御手段は、前記指定された機能を制御する、
ことを特徴とする。
（請求項１２）
請求項１２に記載の発明は、請求項１乃至１１のいずれか１項に記載の電子機器において、
前記表示制御手段は、前記タッチ操作手段と前記表示手段との位置関係に応じて、前記オブジェクトを前記表示手段の異なる位置に表示する制御を行う
ことを特徴とする。
（請求項１３）
請求項１３に記載の発明は、請求項３乃至１１のいずれか１項に記載の電子機器において、
当該電子機器の傾きを検出する傾き検出手段を、更に備え、
前記表示制御手段は、前記変換手段により変換される回転角と前記傾き検出手段により検出される傾きとに応じて、前記表示手段に表示している円状のオブジェクトを回転させる制御を行う、
ことを特徴とする。
（請求項１４）
請求項１４に記載の発明は、請求項１３に記載の電子機器において、
前記タッチ検出手段により検出される１次元のスライド操作、及び前記傾き検出手段により検出される傾きに応じて、所定の機能の制御する機能制御手段を、更に備える、
ことを特徴とする。
（請求項１５）
請求項１５に記載の発明は、
タッチ操作手段と、表示手段を備える電子機器における表示制御方法であって、
前記タッチ操作手段上における１次元のスライド操作を検出する処理と、
前記タッチ検出手段により検出される１次元のスライド操作を、回転角に変換する処理と、
前記変換される回転角に応じて、前記表示手段に表示しているオブジェクトを回転させる制御を行う処理と、
を含むことを特徴とする。
（請求項１６）
請求項１６に記載の発明は、
タッチ操作手段と、表示手段を備える電子機器のコンピュータに対して、
前記タッチ操作手段上における１次元のスライド操作を検出する機能と、
前記タッチ検出手段により検出される１次元のスライド操作を、回転角に変換する機能と、
前記変換される回転角に応じて、前記表示手段に表示しているオブジェクトを回転させる制御を行う機能と、
を実現させるためのプログラムである。
【符号の説明】
【００９１】
１  制御部
３  記憶部
３Ａ  プログラムメモリ
３Ｃ  セルフィーパッド機能テーブル
４  操作部
４ｂ  セルフィーパッド
５  撮像部
６  タッチ表示部
１１  筐体
１２  円状オブジェクト
Ｔ  タッチパネル
【図１】
2017010167.tif 000003
【図２】
2017010167.tif 000004
【図３】
2017010167.tif 000005
【図４】
2017010167.tif 000006
【図５】
2017010167.tif 000007
【図６】
2017010167.tif 000008
【図７】
2017010167.tif 000009
【図８】
2017010167.tif 000010
【図９】
2017010167.tif 000011
【図１０】
2017010167.tif 000012
【図１１】
2017010167.tif 000013
【図１２】
2017010167.tif 000014
【図１３】
2017010167.tif 000015